(57)【要約】  複数の照明装置ＬＤ１−ｎを有する可変色照明システム１のためのコントローラ３であって、可変色照明システム１によって発せられるべき出力色に関する要求Ｓｒを受け取る手段１０と、前記要求を示す制御信号Ｃ１、Ｃ２を少なくとも１つの照明装置ＬＤ１−ｎに送信し、これにより前記出力色の放出を可能にする通信手段１２とを有するコントローラ３である。コントローラ３は、更に、少なくとも２つの照明装置ＬＤ１、ＬＤ２の色域Ｇ１、Ｇ２を示すデータにアクセスし、アクセスされたデータに基づいて色放出特性Ｇｔｏｔを決定する処理手段１３を含んでいる。
2009514159.tif 000002
【特許請求の範囲】
【請求項１】
複数の照明装置を有する可変色照明システムのためのコントローラであって、
−  前記可変色照明システムによって発せられるべき出力色に関する要求を受け取る手段と、
−  前記要求を示す制御信号を少なくとも１つの前記照明装置に送信し、これにより前記出力色の放出を可能にする通信手段と、
を有するコントローラにおいて、
−  少なくとも２つの前記照明装置の色域を示すデータにアクセスし、
−  アクセスされた前記データに基づいて色放出特性を決定する、
処理手段を更に有することを特徴とする、コントローラ。
【請求項２】
前記可変色照明システムの前記色放出特性を示す信号を供給する手段を更に有している、請求項１に記載のコントローラ。
【請求項３】
前記通信手段は、前記少なくとも２つの照明装置からの信号を更に受け取り、前記データは、前記通信手段によってアクセスされる、請求項１又は２に記載のコントローラ。
【請求項４】
決定された前記色放出特性を示すデータを記憶するメモリを更に有する、請求項１乃至３の何れか一項に記載のコントローラ。
【請求項５】
前記処理手段は、更に、域外の要求を飽和しないようにする、請求項１乃至４の何れか一項に記載のコントローラ。
【請求項６】
前記色放出特性は、前記少なくとも２つの照明装置の前記色域の一部を形成することによって決定される、請求項１乃至５の何れか一項に記載のコントローラ。
【請求項７】
前記色放出特性は、前記少なくとも２つの照明装置の前記色域の和集合を形成することによって決定される、請求項１乃至５の何れか一項に記載のコントローラ。
【請求項８】
複数の照明装置を有する可変色照明システムのユーザ制御を可能にする制御システムであって、
−  ユーザが前記可変色照明システムによって発せられるべき出力色に関する要求を入力するのを可能にする入力手段と、
−  請求項１乃至７の何れか一項に記載のコントローラと、
を有する制御システム。
【請求項９】
前記ユーザに、前記可変色照明システムの色放出特性を示す指示手段を更に有する、請求項８に記載の制御システム。
【請求項１０】
複数の照明装置と、請求項８又は９に記載の制御システムとを有する可変色照明システム。
【請求項１１】
複数の照明装置を有する可変色照明システムの色出力を制御する方法であって、
−  少なくとも２つの前記照明装置の色域を示すデータにアクセスするステップと、
−  アクセスされた前記データに基づいて、前記可変色照明システムの色放出特性を決定するステップと、
−  前記可変色照明システムによって発せられるべき出力色に関する要求を、ユーザインターフェースから受け取るステップと、
−  前記照明装置のうちの少なくとも１つの照明装置に、前記要求を示す制御信号を送信し、これにより前記出力色の放出を可能にするステップと、
を有する方法。
【請求項１２】
前記色放出特性を示す信号を、前記ユーザインターフェースに供給するステップを更に有する、請求項１１に記載の方法。
【請求項１３】
請求項１１に記載の方法のステップを実施するための、可変色照明システムにおけるコントローラ上で走らされるコンピュータプログラムモジュール。
【発明の詳細な説明】
【技術分野】
【０００１】
本発明は、可変色照明システムのためのコントローラ、前記のようなコントローラを含む制御システム、及び可変色照明システムに関する。
【０００２】
本発明は、更に、可変色照明システムの色出力を制御する方法に関する。
【背景技術】
【０００３】
照明における現在の傾向として、照明は、ますます、単純な照明よりも雰囲気を作るのに使用されている。「雰囲気を提供するもの」として適切な照明ソリューションは、異なる色の光を発することができると共に、強度が変化可能である（調光可能である）ことが必要である。理想的には、このような照明ソリューションは、人間の目によって知覚されることができる色三角形全体（ＣＩＥ ＸＹＺ系のｘｙ平面における例の場合）に亘って変化可能でなければならない。しかしながら、実際には、可変色照明ソリューションは、色三角形の一部に亘ることができるのみである。特定の可変色照明ソリューションの場合、前記色三角形の一部は、前記照明ソリューションの色域と称される。更に、種々の照明ソリューションは、一般に、異なる色域を有する。
【０００４】
一群の調整可能な照明装置によって構成される可変色照明システムの場合、前記照明装置を個々に制御することができると共に、前記一群を全体として制御することができるのが望ましい。
【０００５】
調整可能な照明装置の群の形態におけるこのような可変色照明システムのユーザ制御を可能にするために、適切に設計されたユーザインターフェースを有する制御システムが、提供されなければならない。
【０００６】
国際特許出願公開第02/061330号には、１つのこのような制御システムであって、照明スペクトルがユーザに提示され、当該ユーザは、スイミングプールのコンテンツの照明の所望の色を選択することを可能にされている、制御システムが開示されている。次いで、信号は、選択された色を生成するために、前記制御システムから光源に伝達される。
【発明の開示】
【発明が解決しようとする課題】
【０００７】
しかしながら、国際特許出願公開第02/061330号による制御システムは、幾つかの異なる（異なる色域を有する）照明装置が、ユーザインターフェースを介して制御されるべきである状況を取り扱うことができないようである。国際特許出願公開第02/061330号に開示されている制御システムによれば、ユーザは、意図せずに、色を選択し得て、この色は、接続されている光源の一部でなく、他のものによって発せられ得る。このことは、望まれない照明効果を生じ得る。
【０００８】
従って、従来技術と関連する上述の問題を改善するために、可変色照明システムのための改善された制御システムが必要である。
【０００９】
従来技術の上述の及び他の欠点を考えて、本発明の総合的な目的は、可変色照明システムのための改善された制御システムと、前記のような制御システムを有する可変色照明システムとを提供することにある。
【００１０】
本発明の更なる目的は、同一でない色域を持つ照明装置を有する可変色照明システムの制御を可能にすることにある。
【課題を解決するための手段】
【００１１】
本発明の第１の見地によれば、これら及び他の目的は、複数の照明装置を有する可変色照明システムのユーザ制御を可能にするコントローラであって、前記可変色照明システムによって発せられるべき出力色に対する要求を受け取る手段と、前記要求を示す制御信号を前記照明装置の少なくとも１つに送信し、これにより出力色の放出を可能にする通信手段とを有し、少なくとも２つの前記照明装置の色域を示すデータにアクセスし、アクセスされたデータに基づいて色放出特性（color emission capability）を決定する処理手段を更に含んでいるコントローラによって達成される。
【００１２】
「照明装置」とは、本出願において、可視光を発することができる装置として理解されなければならない。照明装置は、１つ又は幾つかの光源を含んでいても良く、強度及び／又は色が調整可能なものであっても良い。
【００１３】
前記可変色照明システムの「色放出特性」は、可変色の光を発するための前記可変色照明システムの機能である。この機能は、例えば、ＣＩＥ XYZ系におけるｘｙ図のような、色度図における所定の領域として示されることができる。
【００１４】
前記通信手段は、有線又は無線通信によって前記照明装置の少なくとも１つに信号を送信するように構成されていても良い。
【００１５】
前記照明システムに含まれている照明装置の色域を示すデータは、前記照明装置又はメモリからアクセスされることができても良く、ローカルなものであっても良く又は前記コントローラに対して離れているものであっても良い。
【００１６】
本発明によるコントローラの提供により、ユーザは、前記可変色照明システムが発光することができる出力色を選択するように案内されることができる。これにより、前記可変色照明システムに含まれている照明装置における望まれていない色の変化が回避されることができる。
【００１７】
本発明によるコントローラは、制御されるべき可変色照明システムが、場合によっては幾分異なる色域を有する発光ダイオード（ＬＥＤ）ベース又は蛍光ベースの照明装置のような、異なる種類の照明装置を含んでいる場合に、特に便利である。しかしながら、本発明のコントローラは、異なる製造条件又は動作条件等による同じ種類の照明装置間の差異を取り扱うのにも便利である。本発明によるコントローラによって得られる付加的な効果は、前記のような色放出特性の決定が、更新され、どの照明装置が前記コントローラに接続されているか及び／又は接続されている照明装置の条件における変化のような、前記可変色照明システムの後続する変化を追うことができることである。これらの更新は、ユーザの介在を伴うことなく、自動的に実施されることができる。
【００１８】
本発明によるコントローラは、有利には、前記可変色照明システムの色放出特性を示す信号を供給する手段を有していても良い。
【００１９】
このような信号は、例えば、制御システム内のユーザインターフェースを介してユーザに提示されることもできる。代替的には、前記信号は、ユーザの要求を、前記可変色照明システムの色放出特性に自動的に適応させるために、前記制御システム内で使用されることもできる。
【００２０】
前記可変色照明システムの色放出特性を示す信号の供給により、ユーザは、どの色が利用可能であるか及び前記照明システムの様々な構成が、場合によっては、どのように異なる色放出特性をもたらすかについての明確な案内を与えられることができる。これにより、望まれていない色変化は、回避されることができる。
【００２１】
本発明によるコントローラの一実施例によれば、前記通信手段は、更に、少なくとも２つの照明装置からの信号を受け取ることができ、前記少なくとも２つの照明装置の色域を示すデータは、前記通信手段を介してアクセスされることができる。
【００２２】
前記通信手段を介して照明装置からの色域データにアクセスすることにより、プラグアンドプレイ照明システムが実現されることができる。前記可変色照明システムに新しい照明装置を付加する又は照明装置を他のものに取り替えると、色域データは、前記コントローラによってアクセスされることができる。これにより、前記可変色照明システムの変更された色放出特性の更新された決定が、前記照明システムの変更に後続して自動的に実施されることができる。更に、この変更された色放出特性を示す信号が、ユーザに提供されることもできる。
【００２３】
好ましくは、本発明によるコントローラは、更に、決定された色放出特性を示すデータを記憶するメモリを含んでいても良い。
【００２４】
前記可変色照明システムの前記色放出特性を示すデータの記憶のためのメモリを設けることにより、色域データが前記照明装置からアクセスされ得るのは、非常に限られた数の回数になる。このようなアクセスに後続して、前記色放出特性が決定されることができ、関連するデータは、設けられた前記メモリ内に記憶されることができる。
【００２５】
例えば、色域データは、前記可変色照明システムの変更の際及び規則的な所定の間隔において、後続する初期インストールのような時間にアクセスされることができる。
【００２６】
明らかに、アクセスされる色域データは、前記照明システムの色放出特性を示すデータに加えて又は当該データの代わりに、前記メモリ内に記憶されることができる。
【００２７】
有利には、前記処理手段は、更に、域外（out-of-gamut）要求を飽和しないようにする（de-saturate）ように適応化することもできる。
【００２８】
前記可変色照明システムの前記色放出特性を示す信号が供給されることができる場合でさえも、ユーザは、この色放出特性を超えた色を要求することを可能にされることもできる。このような要求は、ここで、「域外の要求」と称される。
【００２９】
前記のような域外の要求を容認可能な態様において取り扱うために、前記処理手段は、要求された色を前記可変色照明システムの前記色放出特性内の色点へと飽和しないようにするように適応化されることもできる。このような飽和しないようにする又は近似は、色度図において、要求された色点を前記可変色照明システムの色域内の適切な点へ線形変換することにより、実施されることができる。
【００３０】
飽和しないようにすることは、前記照明システムに含まれている前記照明装置において局所的に実施されることもできる。
【００３１】
本発明によるコントローラの一実施例によれば、前記可変色照明システムの前記色放出特性は、少なくとも２つの照明装置の色域の選択を形成することにより決定されることができる。
【００３２】
前記色放出特性のこのようにされる決定により、色放出特性が示されることができ、前記色放出特性は、少なくとも２つの前記照明装置のうちの全てに対してアクセス可能である。これにより、示された前記色放出特性のうちの要求された色における光が、これらの照明装置によって発せられることができることが保証される。このような色放出特性は、前記照明システム内に含まれている照明装置の全て又は照明装置の副次的な群による一部によって形成されることもできる。
【００３３】
本発明によるコントローラの他の実施例によれば、前記色放出特性は、前記少なくとも２つの照明装置の色域の和集合を形成することによって決定されることもできる。このようにして、前記可変色照明システムの色域は、典型的には、前記照明システム内に含まれている個々の照明装置の色域よりも大きくなる。これにより、色度図の広い領域を覆う色の光が、少なくとも部分的に相補的な色域を有する照明装置を意図的に選択することによって、前記照明システムによって発せられることができる。
【００３４】
本発明によるコントローラは、有利には、可変色照明システムのユーザ制御を可能にするために、ユーザが、前記可変色照明システムによって発せられるべき出力色に対する要求を入力するのを可能にするための入力手段を更に有する制御システム内に含まれることもできる。
【００３５】
前記制御システムは、ユーザに、前記可変色照明システムの色放出特性を示すための指示手段を含むこともできる。
【００３６】
前記指示手段とは、例えば、コンピュータ表示器又は小型のＬＣＤ表示器のような、表示器、種々の色の指示器、印刷されたカラーチャート、又はこれらの組み合わせを含んでも良い。
【００３７】
前記ユーザ入力手段は、例えば、ボタン、タッチパッド、スライダ又はノブのような、１つ又は幾つかのアクチュエータの形態において設けられることができる。前記ユーザ入力手段は、前記指示手段とは別個のものであっても良く、又は前記指示手段と一体化されていても良い。前記ユーザ入力手段は、更に、キーボード、マウス、タッチパッド又はタッチスクリーンのような、コンピュータ接続される入力手段を含んでも良い。
【００３８】
本発明の第２の見地によれば、上述の及び他の目的は、複数の照明装置及び前記上述の制御システムを有する可変色照明システムによって達成される。
【００３９】
本発明の第３の見地によれば、上述の及び他の目的は、複数の照明装置を有する可変色照明システムの色出力を制御するための方法であって、
前記照明装置の少なくとも２つの色域を示すデータにアクセスするステップと、アクセスされたデータに基づいて前記可変色照明システムの色放出特性を決定するステップと、ユーザインターフェースから、前記可変色照明システムによって発せられるべき出力色に対する要求を受け取るステップと、前記照明装置の少なくとも１つに対して、前記要求を示す制御信号を送信し、これにより要求された出力色の放出を可能にするステップとを含む方法によって達成される。
【００４０】
有利には、本発明による方法は、更に、前記ユーザインターフェースに対して、前記色放出特性を示す信号を供給するステップを有することができる。
【００４１】
本発明のこの第３の見地によって得られる更なる効果は、本発明の前記第１の見地に関連して上述されたものと大体類似している。
【００４２】
本発明の第４の見地によれば、上述の及び他の目的は、本発明の前記方法を実施するために可変色照明システム内のコントローラ上で走らされるべきコンピュータプログラムモジュールによって達成される。
【発明を実施するための最良の形態】
【００４３】
例示的な目的のため、本発明のこれら及び他の見地は、今、本発明の目下好適な実施例を示す添付図面を参照して、詳細に記載される。
【００４４】
以下の記載において、本発明は、可変色照明システムを制御するスタンドアロンの制御システムを参照して記載される。このことは、決して、本発明の範囲を制限するものではなく、パーソナルコンピュータ又は類似のものによるような、様々な他の仕方において実施化される制御システムに等しく当てはまるものであることに留意されたい。
【００４５】
図１において、本発明による可変色照明システム１であって、制御システム２が、対応する色域Ｇ１−ｎ内の色を各々発することができるｎ個の照明装置ＬＤ１−ｎに接続されている、可変色照明システム１が模式的に示されている。制御システム２は、コントローラ３、ユーザ入力手段４及び表示器５によって表現される指示手段を有している。
【００４６】
コントローラ３の好適な実施例は、今、図２ａを参照してより詳細に記載される。図２ａにおいて、可変色照明システム１のユーザ制御を可能にするコントローラ３が示されている。コントローラ３は、ユーザ入力手段４及び指示手段５（図１）を有するユーザインターフェースとの通信を可能にする第１のインターフェース１０、第２のインターフェース１２の形態の通信手段、プロセッサ１３及びメモリ１４を有している。
【００４７】
プロセッサ１３は、コントローラ３に接続されている照明装置ＬＤ１−ｎ（図１）の色域を示しているデータにアクセスするように構成されている。
【００４８】
このデータは、例えば、照明装置ＬＤ１−ｎの原色の色座標及びフラックス特性の形態において供給されることができ、第２のインターフェース１２を介して照明装置ＬＤ１−ｎから、前記ユーザインターフェースから、第１のインターフェース１０を介して、ＣＤ−ＲＯＭ若しくは等価なもののような記録可能な媒体から、インターネットを介して、又はメモリ１４からアクセスされることができる。可変色照明システム１にプラグアンドプレイ機能を備えさせるために、プロセッサ１３は、当該例示的な実施例において、第２のインターフェース１２を介してそれぞれの照明装置ＬＤ１−ｎからのデータにアクセスし、それぞれの照明装置ＬＤ１−ｎの色域を示すこのデータをメモリ１４に記憶する。
【００４９】
更に、プロセッサ１３は、このアクセスされたデータに基づいて、可変色照明システムの色放出特性１を決定する。次いで、決定された前記色放出特性を示す信号が、第１のインターフェース１０を介してユーザインターフェースに供給されることができる。前記ユーザインターフェースにおいて、前記色放出特性は、様々な仕方においてユーザに示されることができる。例えば、前記色放出特性は、色空間における様々な表現のうちの１つにおいて強調されることができる。このような指示を供給する一例の仕方は、図２ｂに関連して以下に記載される。
【００５０】
第１のインターフェース１０を介して、供給される色放出特性に関する情報によって案内されて、ユーザは、可変色照明システム１によって発せられるべき光の色及び／又は強度、又はこの一部を要求する。前記のようなユーザ要求は、第１のインターフェース１０を介して受け取られ、プロセッサ１３によって処理され、プロセッサ１３は、次いで、照明装置ＬＤ１−ｎ（図１）の少なくとも１つに対して前記要求を示す信号を送信する。選択された（複数の）照明装置は、これにより要求される色の光を発するようにされる。
【００５１】
明らかに、上述の手順の変形が存在する。例えば、第１のインターフェース１０を介して受け取られる前記要求信号は、照明装置ＬＤ１−ｎに直接的に転送されることができ、又は域外の要求は、少なくとも１つの照明装置ＬＤ１−ｎのそれぞれの域内の色を示す信号が送信されるように、プロセッサ１３によって変更されることができる。更に、図１を参照して、制御システム、２は、域外の要求が、ユーザ入力手段４を介して受け取られる場合、表示器５を介して、域外の警告をユーザに提供することができる。
【００５２】
図２ｂは、色表示２１の形態における模範的な指示手段と、色表示２１上のタッチセンサ表面２２及びスライダ２３の形態における模範的なユーザ入力手段とを有する、制御システム２内に含まれている、ユーザインターフェース２０の模範的な実施例を模式的に示している。
【００５３】
当該模範的な実施例において、可変色照明システム１の色放出特性は、ＨＳＩモデルに従った円形色平面２５内のアクセス可能な領域２４の形態においてユーザに示されている。この示されているアクセス可能な領域２４によって案内されて、ユーザは、適切な位置における色表示２１のタッチセンサ表面２２に接触することによって、発せられるべき色を選択することができる。所望の強度は、スライダ２３を使用して選択されることができる。
【００５４】
当業者にとって明らかであるように、上述のものと類似のユーザインターフェース２０が、通常のコンピュータにおいて容易に実施化され、この場合、色及び強度は、グラフィカルユーザインターフェースにおけるコンピュータマウスをクリックする及び／又はドラッグすることによって選択されることができる。
【００５５】
図３ａ及び３ｂは、前記可変色照明システムの前記色放出特性を形成する２つの代替的な仕方を示している。簡潔さのために、前記照明システムの、前記色放出特性又は色域は、ここでは、２つの照明装置の色域から形成されている。勿論、示されている原理は、異なる色域を有する多数の照明装置に等しく適用可能である。
【００５６】
図３ａに示されているように、可変色照明システム１の色放出特性Ｇｔｏｔは、照明装置ＬＤ１、ＬＤ２の色域Ｇ１、Ｇ２の間の選択として形成されることができる。この場合、示されている色放出特性Ｇｔｏｔ内で要求されている色における光が、可変色照明システム１によって発せられることができることが保証される。
【００５７】
図３ｂには、可変色照明システム１の色放出特性Ｇｔｏｔが、どのようにして照明装置ＬＤ１、ＬＤ２の色域Ｇ１、Ｇ２の和集合として形成されることができるかが示されている。この場合、照明システム１の色放出特性Ｇｔｏｔは、照明装置ＬＤ１、ＬＤ２を構成している色放出特性Ｇ１、Ｇ２よりも大きくなる。
【００５８】
図４は、可変色照明システムの色出力を制御するための、本発明による方法を示しているフローチャートであり、第１ステップ３０において、可変色照明システム１に含まれている少なくとも２つの照明装置ＬＤ１、ＬＤ２の色域Ｇ１、Ｇ２を示すデータが、アクセスされている。後続するステップ３１において、可変色照明システム１の色放出特性Ｇｔｏｔが、アクセスされたデータに基づいて決定される。後続するステップ３２において、決定された色放出特性Ｇｔｏｔを示す信号Ｓｃが、ユーザインターフェース２０に供給される。後続するステップ３３において、前記可変色照明システムによって発せられるべき出力色に関する要求Ｓｒが、ユーザインターフェース２０から受け取られ、次のステップ３４において、この要求を示す制御信号Ｃ１、Ｃ２が、照明装置ＬＤ１−ｎの少なくとも１つのＬＤ１、ＬＤ２に送信される。
【図面の簡単な説明】
【００５９】
【図１】本発明による可変色照明システムの模式的な説明である。
【図２ａ】本発明によるコントローラの好適な実施例を説明するブロック図を模式的に示している。
【図２ｂ】本発明による制御システムのユーザインターフェースの例を模式的に示している。
【図３ａ】本発明による可変色照明システムの決定されている色放出特性と、前記照明システムに含まれている照明装置の色域との間の関係の一例を、ＣＩＥ ＸＹＺ色空間のｘｙ平面において、示している。
【図３ｂ】本発明による可変色照明システムの決定されている色放出特性と、前記照明システムに含まれている照明装置の色域との間の関係の一例を、ＣＩＥ ＸＹＺ色空間のｘｙ平面において、示している。
【図４】可変色照明システムの色出力を制御する、本発明の好適な実施例による方法を説明するフローチャートである。
【図１】
2009514159.tif 000003
【図２ａ】
2009514159.tif 000004
【図２ｂ】
2009514159.tif 000005
【図３ａ】
2009514159.tif 000006
【図３ｂ】
2009514159.tif 000007
【図４】
2009514159.tif 000008
【国際調査報告】
2009514159.tif 000009
2009514159.tif 000010
2009514159.tif 000011